(57)【要約】【課題】オートフォーカス機能により合焦点位置を判定した場合に、その合焦点位置を撮影者が一目で判別可能にしたデジタルカメラおよびそのデジタルカメラを用いた画像処理システムを提供する。【解決手段】撮像素子から入力された画像データに対して画像処理を行って合焦点値を算出し、該合焦点値に基づいて合焦点位置を判定する機能を備えたデジタルカメラにおいて、前記合焦点位置に特定の色で合焦点マークを付し、モニタ画面に出力する構成としてある。このようにすれば、合焦点位置（中央の家）に特定の色（例えば、赤色）で合焦点マーク（×印）が付されてモニタ画面に表示されるので、撮影者は合焦点位置を容易に確認できる。【選択図】図５
2006109199.tif 000002
【特許請求の範囲】
【請求項１】
撮像素子から入力された画像データに対して画像処理を行って合焦点値を算出し、該合焦点値に基づいて合焦点位置を判定する機能を備えたデジタルカメラにおいて、
前記合焦点位置に特定の色で合焦点マークを付し、モニタ画面に出力することを特徴とするデジタルカメラ。
【請求項２】
請求項１記載のデジタルカメラにおいて、
前記合焦点マークを点滅表示することを特徴とするデジタルカメラ。
【請求項３】
撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、該グレイスケール画像上の合焦点位置に、特定の色で合焦点マークを付し、モニタ画面に出力することを特徴とするデジタルカメラ。
【請求項４】
請求項３記載のデジタルカメラにおいて、
前記合焦点マークを点滅表示することを特徴とするデジタルカメラ。
【請求項５】
撮像素子から入力された画像データに対して画像処理を行って合焦点値を算出し、該合焦点値に基づいて合焦点位置を判定する機能を備えたデジタルカメラにおいて、
前記画像データから色成分を弱めた低彩度画像を生成し、該低彩度画像上の合焦点位置に、特定の色で合焦点マークを付し、モニタ画面に出力することを特徴とするデジタルカメラ。
【請求項６】
請求項５記載のデジタルカメラにおいて、
前記合焦点マークを点滅表示することを特徴とするデジタルカメラ。
【請求項７】
撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、各画素の合焦点値に対応してグレイスケール画像の彩度を特定の色寄りに強め、該グレイスケール画像上の合焦点位置に、特定の色で合焦点マークを付し、モニタ画面に出力することを特徴とするデジタルカメラ。
【請求項８】
撮像素子から入力された画像データに対して画像処理を行って合焦点値を算出し、該合焦点値に基づいて合焦点位置を判定する機能を備えたデジタルカメラにおいて、
前記画像データの各画素の合焦点値に対応して画像の彩度を変化させ、モニタ画面に出力することを特徴とするデジタルカメラ。
【請求項９】
撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、各画素の合焦点値が大きければグレイスケール画像の彩度を特定の色寄りに強め、各画素の合焦点値が小さければグレイスケール画像の彩度を別の特定の色寄りに強め、モニタ画面に出力することを特徴とするデジタルカメラ。
【請求項１０】
撮像素子から入力された画像データに対して画像処理を行って合焦点値を算出し、該合焦点値に基づいて合焦点位置を判定する機能を備えたデジタルカメラにおいて、
前記合焦点値が大きい位置では画像にシャープフィルタを適用し、合焦点値が小さい位置では画像にぼかしフィルタを適用し、モニタ画面に出力することを特徴とするデジタルカメラ。
【請求項１１】
撮像素子から入力された画像データに対して画像処理を行って合焦点値を算出し、該合焦点値に基づいて合焦点位置を判定する機能を備えたデジタルカメラにおいて、
前記画像データを部分領域に分割した小領域それぞれに合焦点値の代表値を算出し、合焦点値の代表値に応じて、その小領域に特定の色を与え、画像データと合成してモニタ画面に出力することを特徴とするデジタルカメラ。
【請求項１２】
撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点位置に特定の色でマークを付与した画像を表示することを特徴とするデジタルカメラ。
【請求項１３】
撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点値に応じた輝度を持つグレイスケール画像を表示することを特徴とするデジタルカメラ。
【請求項１４】
撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点値に応じて異なる色を表示することを特徴とするデジタルカメラ。
【請求項１５】
画像素子から入力された画像データに対して画像処理を行って合焦点値を算出し、該合焦点値に基づいて合焦点位置を判定する機能を備え、該判定した合焦点位置をモニタ画面に出力するデジタルカメラが取得した被写体画像をパソコンに転送して記憶させ、パソコンのディスプレイに表示する場合に、
該パソコンを用いて、前記画像データから合焦点値を算出し、画像データと合焦点値を元にした画像を合成し、前記パソコンのディスプレイに表示するようにしたことを特徴とするデジタルカメラの画像処理システム。
【発明の詳細な説明】
【技術分野】
【０００１】
本発明は、デジタルカメラおよびそのデジタルカメラを用いた画像処理システムに関し、特に、オートフォーカス機能により合焦点位置を判定した場合に、その合焦点位置を撮影者が一目で判別可能にしたデジタルカメラおよびそのデジタルカメラを用いた画像処理システムに関する。
【背景技術】
【０００２】
カメラが被写体に対して合焦点である時には、被写体の細部まで解像され、得られる画像は細かい凹凸の画素値を持ったものとなる。デジタルカメラ（デジタルスチルカメラ）の場合、撮像素子（ＣＣＤ）の隣接する１画素ごとに異なった画素値が得られるのが、ベストな合焦点の状態である。
逆にフォーカスが合っていない時には、解像は低くなり、画素値は隣接する周辺の画素値と似た値になる。
【０００３】
この性質を利用して、従来から合焦点判定の方法がいくつか開発されている。
細かく解像されることにより、画像信号の高周波成分が多くなることを利用して、例えば、フォーカス領域の画像の高周波成分を抽出し、その強度が大きいほど合焦点度合いが高いとして判定する方法がある（例えば、非特許文献１参照）。
【０００４】
また、例えば、デジタルデータ化された画像に対し、２値化されたビットプレーンごとに隣接する画素の値が反転する回数を計数して、計数値が大きいほど合焦点度合いが高いと判定する方法もある（例えば、特許文献１参照）。
【０００５】
さらに、その他にも、以下の合焦点度合いの判定方法がある。
隣接する画素値の差が大きい「エッジ」を持つ画素の数を計数し、その画素数が多いほど合焦点度合いが高いと判定する方法。
１画素のサイズで周囲からエッジによって孤立している画素数を計数し、その画素数が多いほど合焦点度合いが高いと判定する方法。
１画素の幅を持ち周囲からエッジによって孤立している線画素を計数し、その画素数が多いほど合焦点度合いが高いと判定する方法。
【０００６】
【特許文献１】特開２０００−３５４１９４号公報
【非特許文献１】ＮＨＫ技術報告、昭和４０年、第１７巻、第１号、通巻８６号、２１ページ
【発明の開示】
【発明が解決しようとする課題】
【０００７】
ところで、オートフォーカス機能を備えたカメラで写真を撮影する場合、撮影範囲内のどこにフォーカスが合うかは、カメラ任せである。多くの場合、撮影範囲内の中心付近に小さなフォーカス領域があり、その領域にある被写体に対して自動的にフォーカスが合わせられる。
しかし、オートフォーカス機能は完全なものではなく、フォーカス領域に被写体があったとしても、撮影結果はフォーカスが合っていないことがある。
【０００８】
また、デジタルカメラにおいて、本体に小型モニタを備え、撮影領域の画像をモニタに表示できるものがあるが、モニタ画面は小さく解像度が低く、画像数を落とした縮小画像しか表示できないため、撮影時のモニタ画面で合焦点のように見えても、撮影結果はフォーカスが合っていないことがある。合焦点判定を容易にするためモニタ画面への表示を拡大できるものがあるが、その場合、撮影範囲（構図）を確認することができなくなるという問題がある。
【０００９】
また、光学的ファインダを装備し撮影領域を見ながら撮影ができるカメラでは、ファインダ内中心部にフォーカス領域を示すマークが示されていることがあるが、合焦点についての情報表示は少なく、撮影領域の任意の位置での目視による合焦点判定は難しい。
結局、最終的には撮影者が撮影後の等倍（縮小のない）画像を見て合焦点の判定をする必要がある。
【００１０】
また、撮影後にカメラに装備されたモニタ画面の表示で撮影結果を確認する場合にも、モニタ画面は小さく解像度が低く、画像数を落とした縮小画像しか表示できないため、合焦点の判定は難しい。画像を拡大して見ることができるものがあるが、その場合、その拡大操作と目的領域の表示操作が煩雑である。
【００１１】
また、被写体が撮影範囲の中心にあるとは限らない。撮影者の意図によって中心以外にある対象物にフォーカスを合わせたい場合がある。その場合には被写体が撮影範囲の中心になるように一度カメラを動かし、その状態でフォーカス合わせ操作（シャッターボタンを半押しする）を行い、さらにフォーカス固定状態（シャッターボタンを半押ししたままに保つ）でカメラを動かし、意図する構図になったところで撮影を行う（シャッターボタンを押しきる）という操作手順となる。これでは煩わしい。
【００１２】
また、フォーカス領域が中心の他にも左右、上下など複数位置にあり、それぞれのフォーカス領域で自動的にフォーカスが合わせられた後、どの領域のフォーカスを採用するかを自動的に判定し、あるいは撮影者が選択して、中心以外の場所にフォーカスが合うように機能するカメラもある。しかし、この場合にも撮影範囲内の特定の少数ポイントに合焦点位置が限定されることにはかわりがなく、撮影者の意図通りに構図を設定することはできない。また、複数のフォーカス領域から自動的にどこを選択するかの判定も完全ではない。
【００１３】
結局、撮影者の意図する目的の被写体にフォーカスの合った画像を撮影するためには、煩雑な操作が必要であったり、撮影に失敗しフォーカスが合っていないことがある。
すなわち、従来技術では合焦点判定は、モニタ画面に表示された撮影対象「画像」を見て判定することにより行われていたが、この場合には前述のような各種の問題があった。
【００１４】
本発明は上記の問題を解決すべくなされたものであり、オートフォーカス機能により合焦点位置を判定した場合に、その合焦点位置を撮影者が一目で判別可能にしたデジタルカメラおよびそのデジタルカメラを用いた画像処理システムの提供を目的とする。
【課題を解決するための手段】
【００１５】
この目的を達成するために請求項1記載の発明は、撮像素子から入力された画像データに対して画像処理を行って合焦点値を算出し、該合焦点値に基づいて合焦点位置を判定する機能を備えたデジタルカメラにおいて、
前記合焦点位置に特定の色で合焦点マークを付し、モニタ画面に出力する構成としてある。
【００１６】
以上の構成および作用を図示すると、例えば図１，図５に示すようになる。このようにすれば、合焦点位置（この場合は中央の家）に特定の色（例えば、赤色）で合焦点マーク（×印）が付されてモニタ画面に表示されるので、撮影者は合焦点位置を容易に確認できる。
【００１７】
また、請求項２記載の発明は、請求項１記載のデジタルカメラにおいて、
前記合焦点マークを点滅表示する構成としてある。
このようにすれば、例えば図５において合焦点マーク（赤色の×印）が点滅するので、合焦点位置が「単に点灯」した場合に比較し、「点滅」により、さらに確認し易くなる。
【００１８】
また、請求項３記載の発明は、撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、該グレイスケール画像上の合焦点位置に、特定の色で合焦点マークを付し、モニタ画面に出力する構成としてある。
【００１９】
例えば、モニタ画面に画像データを表示した場合に、合焦点位置の画像データの色（例えば、花が赤色）と、合焦点マークの色（例えば、赤色）とが一致することがある。このような場合に、画像データから色成分を除いてグレイスケール画像（白黒画像）にしてモニタ画面に表示すれば（花も白黒で表示）、特定の色（例えば、赤色）で表示する合焦点位置（この場合は花）を、一目で確認できる。
【００２０】
また、請求項４記載の発明は、請求項３記載のデジタルカメラにおいて、
前記合焦点マークを点滅表示する構成としてある。
このようにすれば、画像データがグレイスケール画像で表示されることに加え、合焦点位置が「点滅」するので、「単に点灯」した場合に比較し、「点滅」により、さらに確認し易くなる。
【００２１】
また、請求項５記載の発明は、撮像素子から入力された画像データに対して画像処理を行って合焦点値を算出し、該合焦点値に基づいて合焦点位置を判定する機能を備えたデジタルカメラにおいて、
前記画像データから色成分を弱めた低彩度画像を生成し、該低彩度画像上の合焦点位置に、特定の色で合焦点マークを付し、モニタ画面に出力する構成としてある。
【００２２】
例えば、モニタ画面に画像データを表示した場合に、合焦点位置の画像データの色（例えば、花が赤色）と、合焦点マークの色（例えば、赤色）とが一致することがある。このような場合に、画像データから色成分を弱めた低彩度画像にしてモニタ画面に表示すれば（花も低彩度で表示）、特定の色（例えば、赤色）は相対的に（低彩度の花に比較し）高彩度になるので、合焦点位置（この場合は花）を、一目で確認できる。
【００２３】
また、請求項６記載の発明は、請求項５記載のデジタルカメラにおいて、
前記合焦点マークを点滅表示する構成としてある。
このようにすれば、画像データが低彩度で表示されることに加え、合焦点位置が「点滅」するので、「単に点灯」した場合に比較し、「点滅」により、さらに確認し易くなる。
【００２４】
また、請求項７記載の発明は、撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、各画素の合焦点値に対応してグレイスケール画像の彩度を特定の色寄りに強め、該グレイスケール画像上の合焦点位置に、特定の色で合焦点マークを付し、モニタ画面に出力する構成としてある。
【００２５】
例えば、モニタ画面に画像データを表示した場合に、合焦点位置の画像データの色（例えば、花が赤色）と、合焦点マークの色（例えば、赤色）とが一致することがある。このような場合に、画像データから色成分を除いてグレイスケール画像にしてモニタ画面に表示し（花もグレイスケール画像で表示）、合焦点値に対応してグレイスケール画像の彩度を特定の色寄りに強め（例えば、合焦点値が高い場合は赤色、低い場合は無彩色のグレイ）で表示するので、合焦点値の高低を、一目で確認できる。
【００２６】
また、請求項８記載の発明は、撮像素子から入力された画像データに対して画像処理を行って合焦点値を算出し、該合焦点値に基づいて合焦点位置を判定する機能を備えたデジタルカメラにおいて、
前記画像データの各画素の合焦点値に対応して画像の彩度を変化させ、モニタ画面に出力する構成としてある。
このようにすれば、画像データの各画素の合焦点値に対応して画像の彩度を変化させるので、合焦点位置を確認し易くなる。
【００２７】
また、請求項９記載の発明は、撮像素子から入力された画像データに対して画像処理を行って合焦点値を算出し、該合焦点値に基づいて合焦点位置を判定する機能を備えたデジタルカメラにおいて、
前記画像データから色成分を除いたグレイスケール画像を生成し、各画素の合焦点値が大きければグレイスケール画像の彩度を特定の色寄りに強め、各画素の合焦点値が小さければグレイスケール画像の彩度を別の特定の色寄りに強め、モニタ画面に出力する構成としてある。
【００２８】
例えば、モニタ画面に画像データを表示した場合に、合焦点位置の画像データの色（例えば、花が赤色）と、合焦点マークの色（例えば、赤色）とが一致することがある。このような場合に、画像データから色成分を除いてグレイスケール画像にしてモニタ画面に表示し、各画素の合焦点値が大きければグレイスケール画像の彩度を特定の色（例えば、赤色）寄りに強め、各画素の合焦点値が小さければ、グレイスケール画像の彩度を別の特定の色（例えば、青色）寄りに強めて表示するので、各画素の合焦点値の高低を、一目で確認できる。
【００２９】
また、請求項１０記載の発明は、撮像素子から入力された画像データに対して画像処理を行って合焦点値を算出し、該合焦点値に基づいて合焦点位置を判定する機能を備えたデジタルカメラにおいて、
前記合焦点値が大きい位置では画像にシャープフィルタを適用し、合焦点値が小さい位置では画像にぼかしフィルタを適用し、モニタ画面に出力する構成としてある。
【００３０】
このようにすれば、実際の画像よりも鮮鋭性のプラスマイナスを強調して表示するので、フォーカスの合っている位置はくっきりと、フォーカスが合っていない位置はぼんやりと表示され、通常のモニタ画面では確認できない鮮鋭性を、目で見て確認できる。
【００３１】
また、請求項１１記載の発明は、撮像素子から入力された画像データに対して画像処理を行って合焦点値を算出し、該合焦点値に基づいて合焦点位置を判定する機能を備えたデジタルカメラにおいて、
前記画像データを部分領域に分割した小領域それぞれに合焦点値の代表値を算出し、合焦点値の代表値に応じて、その小領域に特定の色を与え、画像データと合成してモニタ画面に出力する構成としてある。
【００３２】
例えば、図５に示したモニタ画面を縦横に１６×１６に分割した格子状に区切り、各領域の合焦点値の代表値を算出する。そして、その小領域の合焦点値に応じて特定の色で色分けして（合焦点値が大きい場合は赤色、小さい場合は青色）モニタ画面に表示するので、合焦点位置を確認し易い。
【００３３】
また、請求項１２記載の発明は、撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点位置に特定の色でマークを付与した画像を表示する構成としてある。
【００３４】
例えば、図６において、合焦点マークの陰に隠れて合焦対象物である「右側の花」が見えなくなっているものと仮定する。これでは、「右側の花」に合焦したい撮影者に不安を与えるおそれがある。そこで、例えば図７に示すように、一方の画面（左画面）に撮影範囲の画像データを表示し、他方の画面（右画面）の合焦点位置を表示する。このようにすれば、「右側の花」が存在することを左画面で確認でき、且つ「右側の花」に合焦していることを右画面で確認できるので、撮影者に不安を与えることがない。
【００３５】
また、請求項１３記載の発明は、撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点値に応じた輝度を持つグレイスケール画像を表示する構成としてある。
【００３６】
例えば、モニタ画面に画像データを表示した場合に、合焦点位置の画像データの色（例えば、花が赤色）と、合焦点マークの色（例えば、赤色）とが一致すると共に、図６において、合焦点マークの陰に隠れて「右側の花」が見えなくなっている場合がある。このような場合に、一方の画面（左画面）に画像データをカラーでそのまま表示し、他方の画面（右画面）に合焦点値に応じた輝度を持つグレイスケール画像を表示する。このようにすれば、「右側の花」がモニタ画面にしっかり表示されるので、撮影者に不安を与えることがなく、且つ合焦点値に応じた彩度でグレイスケール画像表示するので（例えば、合焦点位置は白色、合焦していない位置は黒色）、撮影者に不安を与えることがない。
【００３７】
また、請求項１４記載の発明は、撮像素子から入力された画像データに対して画像処理を行って合焦点値を算出し、該合焦点値に基づいて合焦点位置を判定する機能を備え、該判定した合焦点位置をモニタ画面に出力するデジタルカメラにおいて、
前記モニタ画面を２つの画面に区分し、一方の画面に前記画像データを表示し、他方の画面に、前記合焦点値に応じて異なる色を表示する構成としてある。
【００３８】
このようにすれば、一方の画面（左画面）に画像データをカラーでそのまま表示し、他方の画面（右画面）に合焦点値に応じて異なる色（例えば、合焦点位置は赤色、合焦していない位置は青色）で表示するので、一方の画面には画像データがカラーでしっかり表示され、且つ合焦点値に応じて異なる色で表示するので、撮影者に不安を与えることがない。
【００３９】
また、請求項１５記載の発明は、画像素子から入力された画像データに対して画像処理を行って合焦点値を算出し、該合焦点値に基づいて合焦点位置を判定する機能を備え、該判定した合焦点位置をモニタ画面に出力するデジタルカメラが取得した被写体画像をパソコンに転送し、記憶させ、パソコンのディスプレイに表示する場合に、
前記画像データから合焦点値を算出し、画像データと合焦点値を元にした画像を合成し、前記パソコンのディスプレイに表示するようにした構成としてある。
【００４０】
このようにすれば、パソコン（ＰＣ）のディスプレイは一般にデジタルカメラのモニタ出力より表示解像度が高く、撮影画像の表示も非圧縮に近い形で行えるので、合焦点情報を表示することにより、一段と画像の画質確認、取捨選択が容易となる。また、計算能力も高いので、デジタルカメラ本体で画像処理を行うよりも高速な処理を行える。
【発明の効果】
【００４１】
請求項１記載の発明によれば、合焦点位置に特定の色で合焦点マークが付されてモニタ画面に表示されるので、撮影者は合焦点位置を容易に確認できる。
請求項２記載の発明によれば、合焦点マークが点滅するので、合焦点位置が「単に点灯」した場合に比較し、「点滅」により、さらに確認し易くなる。
【００４２】
請求項３記載の発明によれば、画像データから色成分を除いてグレイスケール画像にしてモニタ画面に表示すれば、特定の色で表示する合焦点位置を、一目で確認できる。
請求項４記載の発明によれば、画像データがグレイスケール画像で表示されることに加え、合焦点位置が「点滅」するので、「単に点灯」した場合に比較し、「点滅」により、さらに確認し易くなる。
【００４３】
請求項５記載の発明によれば、画像データから色成分を弱めた低彩度画像にしてモニタ画面に表示すれば、特定の色は相対的に高彩度になるので、合焦点位置を、一目で確認できる。
請求項６記載の発明によれば、画像データが低彩度で表示されることに加え、合焦点位置が「点滅」するので、「単に点灯」した場合に比較し、「点滅」により、さらに確認し易くなる。
【００４４】
請求項７記載の発明によれば、画像データから色成分を除いてグレイスケール画像にしてモニタ画面に表示し、合焦点値に対応してグレイスケール画像の彩度を特定の色寄りに強めで表示するので、合焦点値の高低を、一目で確認できる。
請求項８記載の発明によれば、画像データの各画素の合焦点値に対応して画像の彩度を変化させるので、合焦点位置を確認し易くなる。
【００４５】
請求項９記載の発明によれば、画像データから色成分を除いてグレイスケール画像にしてモニタ画面に表示し、各画素の合焦点値が大きければグレイスケール画像の彩度を特定の色寄りに強め、各画素の合焦点値が小さければ、グレイスケール画像の彩度を別の特定の色寄りに強めて表示するので、各画素の合焦点値の高低を、一目で確認できる。
【００４６】
請求項１０記載の発明によれば、実際の画像よりも鮮鋭性のプラスマイナスを強調して表示するので、フォーカスの合っている位置はくっきりと、フォーカスが合っていない位置はぼんやりと表示され、通常のモニタ画面では確認できない鮮鋭性を、目で見て確認できる。
【００４７】
請求項１１記載の発明によれば、モニタ画面を縦横に分割した格子状に区切り、各領域の合焦点値の代表値を算出し、その小領域の合焦点値に応じて特定の色で色分けしてモニタ画面に表示するので、合焦点位置を確認し易い。
請求項１２記載の発明によれば、「合焦対象物」が存在することを左画面で確認でき、且つ「合焦対象物」に合焦していることを右画面で確認できるので、撮影者に不安を与えることがない。
【００４８】
請求項１３記載の発明によれば、「合焦対象物」がモニタ画面にしっかり表示されるので、撮影者に不安を与えることがなく、且つ合焦点値に応じた彩度でグレイスケール画像表示するので、撮影者に不安を与えることがない。
【００４９】
請求項１４記載の発明によれば、一方の画面に画像データをカラーでそのまま表示し、他方の画面に合焦点値に応じて異なる色で表示するので、一方の画面には画像データがカラーでしっかり表示され、且つ合焦点値に応じて異なる色で表示するので、撮影者に不安を与えることがない。
【００５０】
請求項１５記載の発明によれば、パソコンのディスプレイは一般にデジタルカメラのモニタ出力より表示解像度が高く、撮影画像の表示も非圧縮に近い形で行えるので、合焦点情報を表示することにより、一段と画像の画質確認、取捨選択が容易となる。また、計算能力も高いので、デジタルカメラ本体で画像処理を行うよりも高速な処理を行える。
【発明を実施するための最良の形態】
【００５１】
＜本発明の概要説明＞
本発明の実施形態の説明に先立ち、本発明の概要を説明する。
・解決する手段
デジタルカメラでは、光学的な画像をデジタル信号に変換し、様々な処理を行った後、記憶装置に格納する。デジタルカメラ内部の信号処理能力は急激に向上しており、400万画素ＣＣＤを備え、連続撮影機能を持つものまである。
このような信号処理能力を用いて、撮影時あるいは撮影後の画像に対し、合焦点情報を付加して表示することにより、撮影時の合焦点判定を容易にし、撮影の失敗を減らす。また、撮影後の画像の評価・取捨選択作業を容易にする。 
【００５２】
・ 撮影時
従来技術では合焦点判定は、モニタ画面に表示された撮影対象「画像を見て判定することにより行われていたが、前述の「発明が解決しようとする課題」で説明したような問題があった。
本発明では、モニタ画面で画像を見るのではなく、画面全体にわたる画像領域それぞれの「合焦点状態」を信号処理によって求め、合焦点状態をモニタ画面に表示する。合焦点状態は、例えば、原画像に重ねて合焦点領域を赤色で示すことによって表示される（図５参照）。これにより、従来は難しかったモニタ画面での合焦点判定が可能となる。
【００５３】
また、撮影範囲の中心部のフォーカス領域に限られていた合焦点判定が、画像内どの位置でも可能になる（その位置が赤色かどうかを見ればよい）（図６参照）。中心部でフォーカスを合わせた場合でも、中心以外で等距離にある被写体は合焦点となるが、従来はそのことを知るのが難しかった。
【００５４】
マニュアルフォーカス機能を備えたカメラの場合、マニュアルフォーカス操作をし、フォーカス距離が変化するのに伴って、モニタ画面上に示される合焦点領域が徐々に変化してゆく。撮影者は画面内任意の位置にある目的の被写体が合焦点状態を示す色となった時に撮影を行えばよい。
【００５５】
オートフォーカス機能に加えてマニュアルフォーカス機能を備えたカメラの場合、まずはオートフォーカス機能を使ってフォーカス操作を行い、その時に得られる画像に対して合焦点情報を表示し、撮影者はそれが気に入らない場合にマニュアルフォーカス機能を用いてさらにフォーカスを合わせればよい。多くの場合はオートフォーカスで望みの被写体にフォーカスが合うであろうから、マニュアルフォーカスのみで操作した場合に比べてフォーカス操作が少なくて済み、撮影が容易である。
【００５６】
・撮影後、本体
撮影後、カメラに装備されたモニタ画面に撮影された画像を表示して合焦点状態の確認を行う場合、本発明では、モニタ画面で画像を見るのではなく、画面全体にわたる画像領域それぞれの「合焦点状態」を信号処理によって求め、合焦点状態をモニタ画面に表示する。合焦点状態は、例えば、原画像に重ねて合焦点領域を赤色で示すことによって表示される。これにより、従来は難しかったモニタ画面での合焦点判定が可能となり、画像の善し悪しの判定・取捨選択が容易となる。
【００５７】
この場合、合焦点状態を求める信号処理は、モニタ画面へ表示する際に行う、または、あらかじめカメラの信号処理能力に余裕がある時（電源オンで撮影を行っていない時など）に行ってもよい。あらかじめ処理を行う場合、処理結果を元画像と関連づけて保存しておき、表示指示があった時に両画像を合成表示する。
【００５８】
・ 撮影後、ＰＣ
デジタルカメラの撮影画像をパーソナルコンピュータ（PC）に送信し、ＰＣの記憶装置に格納し、その後ソフトウェアによって画像の表示や編集を行う際に、画像を解析して合焦点状態を表示する。合焦点状態は、例えば、原画像に重ねて合焦点領域を赤色で示すことによって表示される。それによって、目的の被写体の合焦点判定が容易になり、画像の善し悪しの判定・取捨選択が容易となる。
【００５９】
・合焦点判定方法
前述の「背景技術」で説明した「特許文献１」，「非特許文献１」，「例示したその他」のいずれの方法を用いてもよい。
【００６０】
・表示方法
撮影した１枚の画像に対して、全体（構図）を表示しつつ、同時に合焦点情報を表示する方法はいろいろ考えられる。
１枚の画像の上に重ねて合焦点情報を付加する方法としては、
画像を表示し、その上に目立つ色を用いて合焦点位置にマークを描く。
マークの形状は、「ばつ×」，「四角■」，「ひし形◆」，「星形★」，「丸●」等が考えられる。
色は、ピンク，黄色，白，黒とか、自然画像には少ない色で、撮影者が判定しやすい色が好ましい。
マークを点滅させると、さらに撮影者は判定し易い。
【００６１】
原画像から色成分を除き、輝度成分だけのグレイスケール画像を作り、 グレイスケール画像の上に、合焦点位置に色つきのマークを描く。 
原画像の彩度を低くし、薄い色のみの画像を作り、 その画像の上に、合焦点位置に彩度の高い色のマークを描く。 
原画像から色成分を除き、輝度成分だけのグレイスケール画像を作り、 グレイスケール画像の上に、合焦点位置には元の色つき画像を表示する （合焦点位置だけカラーになる）。 
【００６２】
原画像から色成分を除き、輝度成分だけのグレイスケール画像を作り、 合焦点位置の画像の輝度成分を特定の色で置き換える（合焦点位置が特定の色になる）。 
原画像から色成分を除き、輝度成分だけのグレイスケール画像を作り、 合焦点値に対応した色でそれぞれの位置の色づけを行う（合焦点値の高い位置は赤色、合焦点値の低いところは青色、など）。 
【００６３】
原画像を縦横のメッシュ（矩形）で区切り、合焦点位置のメッシュは カラー画像を表示し、それ以外の位置のメッシュはグレイスケール画像を表示する。 
原画像を縦横のメッシュ（矩形）で区切り、合焦点位置のメッシュは 輝度成分を特定の色に色づけた画像を表示し、それ以外の位置のメッシュはグレイスケール画像を表示する（合焦点位置のメッシュだけ特定の色が付く）。 
【００６４】
原画像に対し、合焦点値の高い位置には強いシャープフィルタ（エッジ強調フィルタ）をかけ、合焦点値の低い位置にはぼかしフィルタをかける。小さいモニタ画面でも、画像の鮮鋭度の違いが見えるようになるので合焦点位置がわかる。
【００６５】
複数の画像を表示することによる合焦点情報表示方法としては、
２つの画面を左右または上下に並べて表示し、左画面には原画像を表示し、右画面には合焦点情報を表示する。
右画面では合焦点位置に色つきのマークを表示する（図７参照）。 
右画面では合焦点値に応じて各位置の輝度を変えたグレースケール 画像を表示する。合焦点値が大きいほど明るくする。 
【００６６】
右画面では合焦点値に応じて各位置の画素を色分けした画像を表示する。例えば、合焦点値の高いところを赤色で、合焦点値の低いところを青色で、中間部は段階的に赤から青へのグラデーション色で色づけする。 
原画像を縦横のメッシュ（矩形）で区切り、メッシュごとに合焦点値に対応する色でメッシュを塗りつぶし、画像２に表示する。 
【００６７】
以下、本発明を図示の実施形態を参照しながら説明する。
先ず、以下の各実施形態で使用するハードウェア構成およびその処理を説明する。図１は、各実施形態で使用するデジタルカメラＤＣのブロック図、図２はこのデジタルカメラＤＣにおける処理フローである。
【００６８】
図１に示すように、デジタルカメラＤＣは、光学レンズ系１０と、撮像素子（ＣＣＤ）２０と、A/D信号変換手段３０と、記憶手段４０と、合焦点値算出手段５０と、画像生成手段６０と、表示手段７０と、フォーカス手段８０と、制御手段９０とを備えてなる。
【００６９】
A/D信号変換手段３０は、ハードウェアにより構成され、ＣＣＤ２０から出力されるアナログ信号をデジタル信号に変換する。
記憶手段４０は、ＲＡＭにより構成され、A/D信号変換手段３０から出力されるデジタル信号を一時記憶する。
合焦点値算出手段５０は、ソフトウェアにより構成される合焦点値算出部５１および合焦点判定部５２を備える。
画像生成手段６０は、ソフトウェアにより構成される合焦店画像生成部６１を備える。
【００７０】
表示手段（モニタ）７０はＬＥＤからなり、該ＬＥＤへ表示する画像を制御する表示部７１を備える。
フォーカス手段８０は、合焦点情報に基づきレンズを駆動するモータ等を備える。
制御手段９０は、デジタルカメラＤＣ全体を制御するソフトウェアにより構成される全体制御部９１およびＣＣＤ２０における画像読み込みを制御する画像読み込み部９２を備える。
【００７１】
次に、図１，図２を参照しながらデジタルカメラＤＣの動作を説明する。
図１および図２に示すように、外からの光が光学レンズ系１０を通って、撮像素子（ＣＣＤ）２０に至り、ＣＣＤ２０は受けた光の強度を電気信号に変換して出力する（ステップＳ１）。 
A/D信号変換手段３０は、ＣＣＤ２０からの出力を受けとり、アナログの電気信号をデジタルの画像データへと変換し（ステップＳ２）、その画像データを記憶手段４０へ記憶する（ステップＳ３）。
【００７２】
合焦点値算出手段５０は、前記画像データに対して、画像処理を行い、合焦点値算出部５１が画像全域の任意の位置での合焦点値を算出する（ステップＳ４）。そして、合焦点判定部５２が、画像データの１画素ごとに、周囲の画素との関係をもとに合焦点値を算出し、画素を順次ずらして全画素について行って合焦点判定を行い（ステップＳ５）、合焦点情報（合焦点値データ）を記憶手段４０へ記憶する。
【００７３】
画像生成手段６０の合焦点画像生成部６１は、前述の画像データと合焦点値データをもとにして、表示画像データを生成する（ステップＳ６）。表示画像データのサイズが大きい場合には、表示モニタのサイズに合わせて縮小した画像を生成する。 
表示手段７０の表示部７１は、前記表示画像データを表示する（ステップＳ７）。
【００７４】
そして、表示手段７０に表示された画像を見た撮影者が、それで良いと判定した場合は、シャッターが押下され（ステップＳ８：ＹＥＳ）、画像データが保存される（ステップＳ９）。
表示画像を見た撮影者が、それで不満足と判定した場合（ステップＳ８：Ｎｏ）、撮影者はカメラのオートフォーカス機能やマニュアルフォーカス機能を用いて、入力画像を変化させ（ステップＳ１０）、画像の取得作業を繰り返す（ステップＳ１に戻る）。
【００７５】
＜第一の実施形態＞
本実施形態を、図３〜図６を参照しながら説明する。
図３は、撮影範囲の中心部に、フォーカス領域を示す四角が描かれている状態を示す図である。
図４は、撮影画像の例であり、遠距離（５００ｍ）に山、中距離（１０ｍ）に家、近距離（０．５ｍ）の左右に花が存在する。
図５は、中心の家に合焦点がある場合の図であって、家に赤色のバツ印（×）を付した図である。
図６は、手前の花に合焦点がある場合の図であって、花に赤色のバツ印（×）を付した図である。
【００７６】
本実施形態では、デジタルカメラのモニタ表示において、撮影時に撮影対象の画像を表示し、画像内で合焦点となっている画素領域にマークをつけて重ねて表示する。
撮影者は、デジタルカメラＤＣを被写体に向けて構える。モニタに映る画像を見て構図やフォーカス状態を確認して写真を撮る。図３に示すように、撮影範囲の中心部には、フォーカス領域を示す四角が描かれている。シャッターボタンを半押しすると、フォーカス領域にある対象物に対して自動的にフォーカスが合わせられる（従来のオートフォーカス方式と同一である）。
【００７７】
この時、ＣＣＤ２０で受光された画像はデジタル画像データに変換された後、記憶手段４０に格納される。合焦点算出部５１は画像データを参照し、画像データの画素を縦横に走査して隣接画素値などの値から、各画素の合焦点値を算出する。隣接する画素値が大きく変化するほど合焦点値は高くなる。すべての画素について合焦点値が得られたら、そのデータを記憶手段４０に格納する。
【００７８】
さらに、合焦点値データを画素サイズ 10 x 10 の矩形領域ごとにまとめ、その矩形領域ごとに合焦点値の代表値を求めても良い。代表値は平均値や最大値など任意の方法を用いる。矩形サイズはこのサイズに限らない。原画像サイズとモニタ表示サイズの比や、どれくらい精密な合焦点位置 が知りたいのか、などから設定する。
合焦点値がいくつ以上なら合焦点と見なすかの「合焦点しきい値」を 予め設定しておく。どれくらい厳しく合焦点を判定するかは撮影者の 好みにも左右されるので、可変に設定できるようにしても良い。
【００７９】
合焦点値が得られた画像データについて、合焦点しきい値より大きい値を持つ画素位置を、合焦点位置とみなす。画像データ上で、合焦点位置と見なされた位置に、赤色で「×」マーク を付与する（マーク色は別の色でもよい。マークの認識がしやすい色が好ましい）。マーク付与後の画像を、モニタ画面に表示する（図５参照）。モニタ画面の表示サイズが画像データサイズより小さい場合には、画像データがモニタ画面に収まるような縮小処理を行ってからモニタへ表示する。
【００８０】
図４に示す撮影画像例では、中心に家があり、そこにフォーカス領域があるので、家にフォーカスが合わせられる。家の付近が合焦点領域となり、モニタ出力は図５に示すようになる。撮影者はモニタ表示（図５）を見て、これで良ければシャッターを押し、この画像（「×」マークなしの状態）が撮影画像として記録される。
【００８１】
どこが合焦点かを示す合焦点情報も画像データと別に記録しても良い。画像データと合焦点情報を関連づけて記録しておき、必要なときに 両画像を重ね合わせるなどして表示すると、画像の善し悪しを判定するのに便利である。
【００８２】
しかし、撮影者がこの画像（図５）を気に入らない場合、例えば手前両側にある２つの花にフォーカスを合わせたいと考えている場合は、フォーカス調整操作に入る。この状態からマニュアルフォーカス調整リングを操作して（あるいはマニュアルフォーカス調整ボタンを押して）フォーカスを近い側に変化させると、それに伴いＣＣＤ２０に受光される画像が変化し、画像処理をして得られる合焦点位置が変化する。
【００８３】
そして、モニタ表示される合焦点マークの位置が変化し、近い側にある被写体にマークがつくようになる（図６）。合焦点マークが手前にある２つの花に付与されるようになり、かつ画像全体の構図が撮影者の意図するものとなったとき、シャッターを押し、画像を記録する。合焦点情報も別に記録しても良い。
なお、従来方式では、手前両側にある２つの花両方に同時にフォーカスが合っていることを１画面内で確認することは困難であった。
【００８４】
＜第二の実施形態＞
本実施形態は、モニタへの表示方法が第一の実施形態とは異なる。
画像データと合焦点情報が記憶手段４０に格納された状態で、画像生成手段６０は、まず画像データから色成分を除いた輝度成分のみのグレイスケール画像を生成する。グレイスケール画像上で、合焦点情報より得られる合焦点位置に、赤色で「×」マークを付与する（マーク色は別の色でもよい。マークの認識がしやすい色が好ましい）。マーク付与後の画像をモニタに表示する。
第一の実施形態では基本となる画像は原画の色つき画像であるが、 本実施形態では、それがグレースケール画像になっている点が異なる。
【００８５】
例えば、モニタ画面に画像データを表示した場合に、合焦点位置の画像データの色（例えば、花が赤色）と、合焦点マークの色（例えば、赤色）とが一致することがある（図６参照）。このような場合に、画像データから色成分を除いてグレイスケール画像（白黒画像）にしてモニタ画面に表示すれば（花も白黒で表示）、特定の色（例えば、赤色）で表示する合焦点位置（この場合は花）を、一目で確認できる。
【００８６】
＜第三の実施形態＞
本実施形態は、モニタへの表示方法が第一，第二の実施形態とは異なる。
画像データと合焦点情報が記憶手段４０に格納された状態で、画像生成手段６０は、まず画像データから色成分を弱めた彩度の低い画像 （低彩度画像）を生成する。低彩度画像上で、合焦点情報より得られる合焦点位置に、赤色で「×」マークを付与する（マーク色は別の色でもよい。高彩度の色。マークの認識がしやすい色が好ましい）。マーク付与後の画像をモニタに表示する。
【００８７】
例えば、モニタ画面に画像データを表示した場合に、合焦点位置の画像データの色（例えば、花が赤色）と、合焦点マークの色（例えば、赤色）とが一致することがある（図６参照）。このような場合に、画像データから色成分を弱めた低彩度画像にしてモニタ画面に表示すれば（花も低彩度で表示）、特定の色（例えば、赤色）は相対的に（低彩度の花に比較し）高彩度になるので、合焦点位置（この場合は花）を、一目で確認できる。
【００８８】
＜第四の実施形態＞
前記第一〜第三の実施形態、または他の実施形態において、合焦点マークを点滅させる。点滅により注意が喚起され、さらに合焦点位置の確認が容易になる。
【００８９】
＜第五の実施形態＞
本実施形態は、モニタへの表示方法が第一〜第四の実施形態とは異なる。
画像データと合焦点情報が記憶手段４０に格納された状態で、画像生成手段６０は、まず画像データから色成分を除いた輝度成分のみのグレイスケール画像を生成する。合焦点情報の合焦点値を参照し、合焦点値が高いほど、その位置の赤色への彩度が高くなるように、グレースケール画像に色づけする（色は別の色でもよい。彩度の高いときに視認しやすい色が好ましい）。色づけ後の画像をモニタに表示する。
例えば、フォーカスの合っている位置は赤く、フォーカスの合っていない位置は無彩色のグレイに、段階的に異なった色で表示される。
【００９０】
例えば、モニタ画面に画像データを表示した場合に、合焦点位置の画像データの色（例えば、花が赤色）と、合焦点マークの色（例えば、赤色）とが一致することがある（図６参照）。このような場合に、画像データから色成分を除いてグレイスケール画像にしてモニタ画面に表示し（花もグレイスケール画像で表示）、合焦点値に対応してグレイスケール画像の彩度を特定の色寄りに強め（例えば、合焦点値が高い場合は赤色、低い場合は無彩色のグレイ）で表示するので、合焦点値の高低を、一目で確認できる。
【００９１】
＜第六の実施形態＞
本実施形態は、モニタへの表示方法が第一〜第五の実施形態とは異なる。
画像データと合焦点情報が記憶手段４０に格納された状態で、合焦点情報の合焦点値を参照し、合焦点値が高いほどその位置の画像の彩度が高くなるように、合焦点の値が低いほど、その位置の画像の彩度が低くなるように色づけする（色は画像の色にする）。色づけ後の画像をモニタに表示する。
例えば、フォーカスの合っている位置は彩度のあるカラーで、フォーカスの合っていない位置は無彩色のグレイに、段階的に異なった彩度で表示される。
【００９２】
このようにすれば、画像データの各画素の合焦点値に対応して画像の彩度を変化させるので、合焦点位置の確認がし易くなる。
なお、彩度の変化には、彩度の強弱による変化と、彩度の反転による変化を含む。
【００９３】
＜第七の実施形態＞
本実施形態は、モニタへの表示方法が第一〜第六の実施形態とは異なる。
画像データと合焦点情報が記憶手段４０に格納された状態で、画像生成手段６０は、まず画像データから色成分を除いた輝度成分のみのグレイスケール画像を生成する。合焦点情報の合焦点値を参照し、合焦点値が高いほど、その位置の赤色への彩度が高くなるように、合焦点値が低いほど、その位置の青色への彩度が高くなるように、グレースケール画像に色づけする（色は別の色でもよい。彩度の高いときに視認しやすい色にする）。色づけ後の画像をモニタに表示する。
例えば、フォーカスの合っている位置は赤く、フォーカスの合っていない位置は青色に、段階的に異なった色で表示する。
【００９４】
例えば、モニタ画面に画像データを表示した場合に、合焦点位置の画像データの色（例えば、花が赤色）と、合焦点マークの色（例えば、赤色）とが一致することがある（図６参照）。このような場合に、画像データから色成分を除いてグレイスケール画像にしてモニタ画面に表示し、各画素の合焦点値が大きければグレイスケール画像の彩度を特定の色寄りに強め（例えば、赤色寄りに強める）、各画素の合焦点値が小さければ、グレイスケール画像の彩度を別の特定の色（例えば、青色）寄りに強めて表示するので、各画素の合焦点値の高低を、一目で確認できる。
【００９５】
＜第八の実施形態＞
本実施形態は、モニタへの表示方法が第一〜第七の実施形態とは異なる。
画像データと合焦点情報が記憶手段４０に格納された状態で、合焦点情報を参照し、画像データの合焦点位置にはシャープフィルタ（鮮鋭度向上フィルタ）を適用し、画像データの非合焦点領域にはぼかしフィルタを適用し、処理後の画像をモニタに表示する。
【００９６】
実際の画像よりも鮮鋭性のプラスマイナスを強調して表示する。フォーカスの合っている位置はくっきりと、フォーカスが合っていない位置はぼんやりと表示される。このようにすれば、通常のモニタ画面では確認できない鮮鋭性を、目で見て確認できる。
【００９７】
＜第九の実施形態＞
本実施形態は、モニタへの表示方法が第一〜第八の実施形態とは異なる。
画像データと合焦点情報が記憶手段４０に格納された状態で、画像を縦横に例えば16×16 に分割した格子状に区切る。なお、区切るサイズは他でもよい。モニタ表示に見やすいサイズを設定する。画像は256個の長方形ブロック（領域）に分けられる。それぞれのブロックには複数の画素が含まれる。ブロック内の複数の画素について合焦点値を集計し、ブロックの代表値を算出する。代表値は平均値や最大値など任意の方法を用いる。 
ブロックごとに得られた合焦点代表値に応じて、値が大きければ赤色、 値が小さければ青色を割り当て、元の画像データの上に半透明に表示する。 
【００９８】
例えば、図５に示したモニタ画面を縦横に１６×１６に分割した格子状に区切り、各領域の合焦点値の代表値を算出する。そして、その小領域の合焦点値に応じて特定の色で色分けして（合焦点値が大きい場合は赤色、小さい場合は青色）モニタ画面に表示するので、合焦点位置を確認し易い。
また、例えば、１６×１６程度の分割であれば、大まかな分割なので、ソフトウェア処理の場合の重さが軽くて済む。さらに、デジタルカメラの場合はモニタ画面（ディスプレイ）そのものが小さいので、小領域に分割することにより、大まかに合焦点位置がどの辺りであるかを、把握し易い。
【００９９】
＜第十の実施形態＞
本実施形態は、モニタへの表示方法が第一〜第九の実施形態とは異なる。
画像データと合焦点情報が記憶手段４０に格納された状態で、図７に示すように、モニタ表示内に２つの画面を配置し、片方の画面（左画面）には画像データを表示する。他方の画面（右画面）には合焦点情報を表示する。
合焦点情報は、黒背景の上に（但し、図７では背景を白にして表示）、合焦点位置に赤色で「×」マークを付与する（マーク色は別の色でもよい。マークの認識がしやすい色が好ましい）。処理後の画像をモニタに表示する。
【０１００】
例えば、図６において、合焦点マークの陰に隠れて「右側の花」が見えなくなっているものと仮定する。これでは、「右側の花」に合焦したい撮影者に不安を与えるおそれがある。そこで、例えば図７に示すように、一方の画面（左画面）に撮影範囲の画像データを表示し、他方の画面（右画面）の合焦点位置を表示する。このようにすれば、「右側の花」が存在することを左画面で確認でき、且つ「右側の花」に合焦していることを右画面で確認できるので、撮影者に不安を与えることがない。
【０１０１】
＜第十一の実施形態＞
本実施形態は、モニタへの表示方法が第一〜第十の実施形態とは異なる。
画像データと合焦点情報が記憶手段４０に格納された状態で、図７に示すように、モニタ表示内に２つの画面を配置し、片方の画面（左画面）には画像データを表示する。他方の画面（右画面）には合焦点情報を表示する。
合焦点情報は、合焦点値に応じて、値の大きいところは明るい色、値の小さいところは暗い色を付与したグレースケール画像を作る。処理後の画像をモニタに表示する。
【０１０２】
例えば、モニタ画面に画像データを表示した場合に、合焦点位置の画像データの色（例えば、花が赤色）と、合焦点マークの色（例えば、赤色）とが一致すると共に、図６において、合焦点マークの陰に隠れて「右側の花」が見えなくなっている場合がある。このような場合に、一方の画面（左画面）に画像データをカラーでそのまま表示し、他方の画面（右画面）に合焦点値に応じた輝度を持つグレイスケール画像を表示する。
このようにすれば、「右側の花」がモニタ画面にしっかり表示されるので、撮影者に不安を与えることがなく、且つ合焦点値に応じた彩度でグレイスケール画像表示するので（例えば、合焦点位置は白色、非合焦点位置は黒色）、撮影者に不安を与えることがない。
【０１０３】
＜第十二の実施形態＞
本実施形態は、モニタへの表示方法が第一〜第十一の実施形態とは異なる。
画像データと合焦点情報が記憶手段４０に格納された状態で、図７に示すように、モニタ表示内に２つの画面を配置し、一方の画面（左画面）には画像データを表示する。他方の画面（右画面）には合焦点情報を表示する。
合焦点情報は、合焦点値に応じて、値の大きいところは赤い色、値の小さいところは青い色を付与したカラー画像を作る。中間値は赤から青へのグラデーション色を用いる。処理後の画像をモニタに表示する。
【０１０４】
このようにすれば、一方の画面（左画面）に画像データをカラーでそのまま表示し、他方の画面（右画面）に合焦点値に応じて異なる色（例えば、合焦点位置は赤色、合焦していない位置は青色）で表示するので、一方の画面には画像データがカラーでしっかり表示され、且つ合焦点値に応じて異なる色で表示するので、撮影者が合焦点位置を確認し易い。
【０１０５】
＜第十三の実施形態＞
撮影後、デジタルカメラ本体に格納された画像データを、デジタルカメラ本体に装備されたモニタに表示し、判定者は画像の善し悪しを判定し、画像の取捨選択をする。その際、モニタ出力には、撮影された画像とともに、合焦点値を元にした合焦点情報を表示する。合焦点情報の表示方法は、前記第一〜第十二の実施形態のいずれかの方法を用いる。 複数の表示方法が用意され選択できるようにしてもよい。
【０１０６】
合焦点情報は、予め撮影時に求められ、画像データとともに格納されているか、または撮影後モニタ表示の際に画像データから求められる。
これにより、従来は難しかった、モニタ表示での合焦点判定が容易となり、目的の被写体にフォーカスが合っていない場合には速やかに画像を削除することが可能となる。
【０１０７】
＜第十四の実施形態＞
撮影後、デジタルカメラ本体に格納された画像データを、メモリデバイスを介しての転送や、通信ケーブルによる転送、無線通信による転送、などの手段によってパソコン（ＰＣ）に取り込み、その後ＰＣに装備された画像表示ソフトウェアによってＰＣのディスプレイに表示する。
【０１０８】
その際、ディスプレイ出力には、撮影された画像とともに、合焦点値を元にした合焦点情報を表示する。画像表示ソフトウェアの表示方法は、前記第一〜第十三の実施形態のいずれかの方法を用いる。
合焦点情報の表示方法は、前記第一〜第十三の実施形態のいずれかの方法を用いる。複数の表示方法が用意され選択できるようにしてもよい。
【０１０９】
合焦点情報は、予め撮影時に求められ、画像データとともに 格納されているか、またはディスプレイ表示の際に画像データから 求められる。
ＰＣのディスプレイは一般にデジタルカメラのモニタ出力より表示解像度が高く、撮影画像の表示も非圧縮に近い形で行える。合焦点情報を表示することにより、一段と画像の画質確認、取捨選択が容易となる。 また、計算能力も高いので、デジタルカメラ本体で画像処理を行うよりも高速な処理ができる。
【図面の簡単な説明】
【０１１０】
【図１】本発明の各実施形態で使用するデジタルカメラのブロック図である。
【図２】図１に示したデジタルカメラの処理フローである。
【図３】本発明の第一の実施形態における、撮影範囲の中心部に、フォーカス領域を示す四角が描かれている状態を示す図である。
【図４】同第一の実施形態における、撮影画像の例であり、遠距離（５００ｍ）に山、中距離（１０ｍ）に家、近距離（０．５ｍ）に花が存在する場合の図である。
【図５】同第一の実施形態における、中心の家に合焦点がある場合の図であって、家に赤色のバツ印（×）を付した図である。
【図６】同第一の実施形態における、手前の花に合焦点がある場合の図であって、花に赤色のバツ印（×）を付した図である。
【図７】同第十の実施形態における、モニタ表示内に２つの画面を配置し、一方の画面には画像データを表示し、他方には合焦点情報を表示する場合の図である。
【符号の説明】
【０１１１】
ＤＣ デジタルカメラ
１０  光学レンズ系
２０  撮像素子（ＣＣＤ）
３０  A/D信号変換手段
４０  記憶手段
５０  合焦点値算出手段
５１  合焦点値算出部
５２  合焦点判定部
６０  画像生成手段
６１  合焦店画像生成部
７０  表示手段
７１  表示部
８０  フォーカス手段
９０  制御手段
９１  全体制御部
９２  画像読み込み部
【図１】
2006109199.tif 000003
【図２】
2006109199.tif 000004
【図３】
2006109199.tif 000005
【図４】
2006109199.tif 000006
【図５】
2006109199.tif 000007
【図６】
2006109199.tif 000008
【図７】
2006109199.tif 000009